(57)【要約】      （修正有）【課題】商品を視認できない状態にすることにより、見栄えをよくし、商品を購入できない顧客等の購買意欲をかきたてないようにすると共に、必要に応じて商品を視認可能にすることにより利便性を向上させる商品用目隠し部材を提供する。【解決手段】商品用目隠し部材５０は、商品を所定の整列方向に整列させて取り出し可能に収納する商品収納装置１に着脱自在に取り付けられる取付部５１と、商品収納装置１に収納されている商品を整列方向の前方から視認可能にする視認位置と商品収納装置１に収納されている商品を前方から視認不可能にする非視認位置との間で移動可能に取付部５１に設けられる目隠し板５２と、を有する。【選択図】図１
0003209075.tif 000002
【実用新案登録請求の範囲】
【請求項１】
商品を所定の整列方向に整列させて取り出し可能に収納する商品収納装置に着脱自在に取り付けられる取付部と、
前記商品収納装置に収納されている前記商品を前記整列方向の前方から視認可能にする視認位置と前記商品収納装置に収納されている前記商品を前記前方から視認不可能にする非視認位置との間で移動可能に前記取付部に設けられる目隠し部と、
を有することを特徴とする商品用目隠し部材。
【請求項２】
前記目隠し部は、
前記非視認位置から前記前方に回転して前記視認位置に移動する、
ことを特徴とする請求項１記載の商品用目隠し部材。
【請求項３】
前記目隠し部を前記非視認位置に付勢する付勢部材を有する、
ことを特徴とする請求項１又は請求項２記載の商品用目隠し部材。
【請求項４】
前記取付部は、
左右方向に沿って配置される複数の前記商品収納装置のうちの一部に取り付けられ、
前記目隠し部は、
複数の前記商品収納装置の各々に収納されている前記商品を前記前方から一括で視認可能にする視認位置と前記前方から一括で視認不可能にする非視認位置との間で移動可能に前記取付部に設けられる、
ことを特徴とする請求項１から請求項３のいずれかに記載の商品用目隠し部材。
【請求項５】
商品を所定の整列方向に整列させて取り出し可能に収納する収納部を備える収納容器と、
前記整列方向において前記商品よりも前方に設けられると共に、前記収納部に収納されている前記商品を前記前方から視認可能にする視認位置と前記収納部に収納されている前記商品を前記前方から視認不可能にする非視認位置との間で移動可能に前記収納容器に設けられる目隠し部と、
を有することを特徴とする商品収納装置。
【考案の詳細な説明】
【技術分野】
【０００１】
本考案は、商品用目隠し部材及び商品収納装置に関する。
【背景技術】
【０００２】
従来、タバコ等の商品を取り出し可能な状態で収納して陳列する商品収納装置が知られている。かかる商品収納装置は、コンビニエンスストア又はスーパー等の店舗に設置される。商品収納装置に収納されている商品は来店した顧客の要望等により店舗の店員等によって適宜取り出されると共に、商品収納装置に収納されている商品の在庫数が少なくなった際に、商品収納装置に商品が適宜補充される。
【考案の概要】
【考案が解決しようとする課題】
【０００３】
しかしながら、従来の商品収納装置においては、外部から商品を常に視認可能な状態で収納しているため、見栄えがよくないという課題を有する。また、従来の商品収納装置においては、未成年者等の商品を購入することができない顧客からも視認可能な状態でその商品を収納しているため、その商品を購入できない顧客の購買意欲をかきたてることとなるという課題を有する。一方、商品収納装置に収納されている商品を顧客から視認できない状態にした場合には、顧客が収納されている商品を見たい場合等に、商品を都度取り出す必要があり、不便であるという課題を有する。
【０００４】
本考案の目的は、商品を視認できない状態にすることにより、見栄えをよくすることができ、商品を購入できない顧客等の購買意欲をかきたてないようにすることができると共に、必要に応じて商品を視認可能にすることにより利便性を向上させることができる商品用目隠し部材及び商品収納装置を提供することである。
【課題を解決するための手段】
【０００５】
本考案に係る商品用目隠し部材は、商品を所定の整列方向に整列させて取り出し可能に収納する商品収納装置に着脱自在に取り付けられる取付部と、前記商品収納装置に収納されている前記商品を前記整列方向の前方から視認可能にする視認位置と前記商品収納装置に収納されている前記商品を前記前方から視認不可能にする非視認位置との間で移動可能に前記取付部に設けられる目隠し部と、を有する。
【０００６】
本考案に係る商品収納装置は、商品を所定の整列方向に整列させて取り出し可能に収納する収納部を備える収納容器と、前記整列方向において前記商品よりも前方に設けられると共に、前記収納部に収納されている前記商品を前記前方から視認可能にする視認位置と前記収納部に収納されている前記商品を前記前方から視認不可能にする非視認位置との間で移動可能に前記収納容器に設けられる目隠し部と、を有する。
【考案の効果】
【０００７】
本考案によれば、商品を視認できない状態にすることにより、見栄えをよくすることができ、商品を購入できない顧客等の購買意欲をかきたてないようにすることができると共に、必要に応じて商品を視認可能にすることにより利便性を向上させることができる。
【図面の簡単な説明】
【０００８】
【図１】本考案の第１の実施形態に係る商品用目隠し部材を取り付ける商品収納装置の分解斜視図である。
【図２】本考案の第１の実施形態に係る商品用目隠し部材を取り付けた商品収納装置の断面図である。
【図３】本考案の第１の実施形態に係る商品用目隠し部材の商品を視認不可能にした状態の正面図である。
【図４】図３のＡ−Ａ断面図である。
【図５】本考案の第１の実施形態に係る商品用目隠し部材の商品を視認可能にした状態のＡ−Ａ断面図に相当する断面図である。
【図６】本考案の第２の実施形態に係る商品用目隠し部材の商品を視認不可能にした状態の断面図である。
【図７】本考案の第２の実施形態に係る商品用目隠し部材の商品を視認可能にした状態の断面図である。
【図８】本考案の第３の実施形態に係る商品用目隠し部材の商品を視認不可能にした状態の断面図である。
【図９】本考案の第３の実施形態に係る商品用目隠し部材の商品を視認不可能にする状態から視認可能にする状態への移行途中の断面図である。
【図１０】本考案の第３の実施形態に係る商品用目隠し部材の商品を視認可能にした状態の断面図である。
【図１１】本考案の第４の実施形態に係る商品用目隠し部材を商品用収納装置に取り付けて商品を視認不可能にした状態の斜視図である。
【図１２】本考案の第４の実施形態に係る商品用目隠し部材を商品用収納装置に取り付けて商品を視認可能にした状態の斜視図である。
【考案を実施するための形態】
【０００９】
以下、図面を適宜参照して、本考案の実施形態に係る商品用目隠し部材及び商品収納装置につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１０】
（第１の実施形態）
＜商品収納装置の構成＞
本考案の第１の実施形態に係る商品収納装置１につき、図１及び図２を参照しながら、以下に詳細に説明する。
【００１１】
商品収納装置１は、商品Ｓ１を取り出し可能な状態で収納して陳列する。ここで、商品Ｓ１は、店舗で販売する嗜好品、生活雑貨又は飲食料等の商品である。商品Ｓ１は、典型的にはたばこである。
【００１２】
具体的には、商品収納装置１は、収納容器１０と、押え板２０と、チェッカー３０と、定荷重リール４０と、を有している。
【００１３】
収納容器１０は、上方が開口した箱状である。収納容器１０は、側壁８と、側壁９と、収納部１１と、外側前方側壁１２と、後方側壁１３と、底壁１４と、貫通孔１５と、貫通孔１６と、貫通孔１７と、内側前方側壁１８と、挿入溝１９と、を備えている。
【００１４】
収納部１１は、商品Ｓ１を外部から視認可能な状態で整列させて収納する。収納部１１は、底壁１４により下方が塞がれていると共に上方が外部に開放され、内側前方側壁１８と、後方側壁１３と、底壁１４と、側壁８と、側壁９と、により周囲を囲まれている。
【００１５】
外側前方側壁１２は、収納部１１の商品Ｓ１の整列方向（前後方向）の前方に設けられている。外側前方側壁１２の下方には、板厚方向に貫通すると共に底壁１４の側面を露出させる貫通孔１５が形成されている。外側前方側壁１２は、透明になっている。なお、外側前方側壁１２は、透明でなくてもよい。
【００１６】
後方側壁１３は、収納部１１の商品Ｓ１の整列方向の後方に設けられている。後方側壁１３の下方には、板厚方向に貫通すると共に底壁１４の側面を露出させる貫通孔１６が形成されている。
【００１７】
底壁１４の左右方向の中央には、前後方向に沿って板厚方向に貫通する貫通孔１７が形成されている。底壁１４の前方側には、下方に突出するＬ字状の突起部１４１が設けられている。
【００１８】
内側前方側壁１８は、収納部１１の商品Ｓ１の整列方向の前方であって外側前方側壁１２の後方に設けられている。内側前方側壁１８の下方には、板厚方向に貫通する貫通孔１５が形成されている。
【００１９】
挿入溝１９は、底壁１４により下方が塞がれていると共に上方が外部に開放されており、外側前方側壁１２と内側前方側壁１８と側壁８と側壁９とにより周囲を囲まれている。挿入溝１９には、後述する商品用目隠し部材５０が挿入される。挿入溝１９には、外側前方側壁１２が透明な場合に、収納部１１に収納される商品Ｓ１の商品情報を記載又は印刷等した図示しないシートが挿入される。ここで、商品Ｓ１の商品情報としては、商品Ｓ１の商品名、商品Ｓ１の商品種別又は商品Ｓ１の価格等を例示する。
【００２０】
挿入溝１９に挿入されるシートは、挿入溝１９に商品用目隠し部材５０が挿入される際には商品用目隠し部材５０の前方に挿入される。なお、挿入溝１９には、上記のシートを挿入しなくてもよい。
【００２１】
押え板２０は、前後方向に移動自在に収納部１１に設けられている。押え板２０は、取付部２１と、当接面２２と、係合部２３と、保持部２４と、凹部２５と、を備えている。
【００２２】
取付部２１は、チェッカー３０の係止部３２を係止する。当接面２２は、収納部１１に整列して収納されている商品Ｓ１のうち最後尾の商品Ｓ１に当接することにより収納部１１に収納されている商品Ｓ１全体を前方に押圧する。係合部２３は、貫通孔１７の周囲の内壁に前後方向に移動自在に係合する。保持部２４は、定荷重リール４０を保持する。凹部２５は、定荷重リール４０の帯状部材４１が押え板２０の下方を前後方向に移動自在な左右方向の幅及び高さを有するように形成されている。
【００２３】
チェッカー３０は、帯状であり、押え板２０に取り付けられている。チェッカー３０は、押え板２０の移動に伴って移動する。チェッカー３０は、押え板２０が前方に移動することにより、収納部１１から貫通孔１５を介して外側前方側壁１２の外面に繰り出される一方で後方側壁１３の外面から貫通孔１５を介して収納部１１に繰り込まれる。また、チェッカー３０は、押え板２０が後方に移動することにより、収納部１１から後方側壁１３の外面に繰り出される一方で外側前方側壁１２の外面から収納部１１に繰り込まれる。
【００２４】
チェッカー３０は、表示部３１と、係止部３２と、係止部３３と、を備えている。
【００２５】
表示部３１は、表示部３１ａと表示部３１ｂとにより構成されている。表示部３１は、典型的には収納部１１に収納されている商品Ｓ１の在庫数の表示又は広告の表示である。
【００２６】
表示部３１ａの一部は、外側前方側壁１２の貫通孔１５と底壁１４の外底面との間で外側前方側壁１２の外面に露出して前方から視認可能である。表示部３１ｂの一部は、後方側壁１３の貫通孔１６と底壁１４の外底面との間で後方側壁１３の外面に露出して後方から視認可能である。
【００２７】
係止部３２は、長手方向の一端に設けられ、押え板２０の取付部２１に係止される。係止部３３は、長手方向の他端に設けられ、底壁１４の突起部１４１に係止される。
【００２８】
定荷重リール４０は、押え板２０と一体に収納部１１内を移動するように押え板２０に保持されている。定荷重リール４０は、帯状部材４１と、収納部４２と、係止部４４と、を備えている。
【００２９】
帯状部材４１の先端には、収納容器１０の突起部１４１に係止される係止孔４３が形成されている。帯状部材４１の係止孔４３が形成されている部分より後方は、巻回された状態で収納部４２に収納されている。収納部４２は、帯状部材４１を巻回させた状態で収納している。係止部４４は、定荷重リール４０の後方に設けられ、チェッカー３０の係止部３３を係止している。
【００３０】
＜商品用目隠し部材の構成＞
本考案の第１の実施形態に係る商品用目隠し部材５０につき、図１から図５を参照しながら、以下に詳細に説明する。
【００３１】
商品用目隠し部材５０は、図１及び図２に示すように商品収納装置１に着脱自在に取り付けられ、取付部５１と、目隠し板５２と、ばね５３と、回転軸部５４と、を備えている。
【００３２】
取付部５１は、商品収納装置１の挿入溝１９に対して着脱自在に挿入されると共に、商品Ｓ１の整列方向である前後方向において商品Ｓ１よりも前方に設けられている。取付部５１は、左右方向の両端に軸受部５１１を備えている。
【００３３】
目隠し部としての目隠し板５２は、収納部１１に収納されている商品Ｓ１を前方から視認可能にする図５に示す視認位置と、収納部１１に収納されている商品Ｓ１を前方から視認不可能にする図３及び図４に示す非視認位置と、の間で回転して移動可能に取付部５１に支持されている。ここで、視認不可能な状態には、前方より商品Ｓ１を全く視認できない状態と、前方より商品Ｓ１を多少視認できるもののその商品名又は種別等が分からない程度に商品Ｓ１を視認できない状態と、の両方が含まれる。また、視認可能な状態には、前方より商品Ｓ１の全体を視認可能な状態と、前方より商品Ｓ１の一部を視認できないもののその商品名又は種別等が分かる程度に商品Ｓ１を視認可能な状態と、の両方が含まれる。
【００３４】
目隠し板５２は、不透明であり、板厚方向に貫通する貫通孔５２１を下方に備えている。目隠し板５２には、目隠しする商品Ｓ１の商品名、商品種別又は価格等の表示５５が設けられている。目隠し板５２は、非視認位置において表示５５により商品Ｓ１を視認不可能にすることができれば透明でもよい。表示５５は、目隠し板５２の前面に設けられていてもよいし、目隠し板５２が透明な場合に目隠し板５２の後面（前面の反対側の面）に設けられていてもよい。なお、目隠し板５２には、表示５５が設けられていなくてもよい。
【００３５】
付勢部材としてのばね５３は、一端が貫通孔５２１を後方から前方に貫通して貫通孔５２１に係合していると共に、他端が目隠し板５２に当接することにより、目隠し板５２を非視認位置に付勢している。ばね５３は、典型的にはトーションばねである。
【００３６】
回転軸部５４は、目隠し板５２に固定されており、目隠し板５２と一緒に回転する。回転軸部５４は、左右方向の両端が軸受部５１１に回転可能に支持されている。回転軸部５４は、目隠し板５２の回転軸である。
【００３７】
＜商品用目隠し部材の動作＞
本考案の第１の実施形態に係る商品用目隠し部材５０の動作につき、図１から図５を参照しながら、以下に詳細に説明する。
【００３８】
商品用目隠し部材５０は、取付部５１を挿入溝１９に上方より挿入することにより商品収納装置１に取り付けられる。商品収納装置１に取り付けられた商品用目隠し部材５０は、目隠し板５２がばね５３により非視認位置に付勢されているため、図２から図４に示すように、収納部１１に収納されている商品Ｓ１を前方から視認不可能にしている。
【００３９】
次に、目隠し板５２に対して前方に回転させる外力を加えた際に、目隠し板５２は、回転軸部５４を回転中心として前方に回転し、視認位置まで回転して図５に示す状態になる。これにより、収納部１１に収納されている商品Ｓ１は視認可能になる。
【００４０】
次に、目隠し板５２に加えている外力を取り除くと、目隠し板５２はばね５３の復帰力により視認位置から非視認位置まで回転して図４に示す状態になる。このように、目隠し板５２は外力が加えられていない場合にはばね５３の付勢力により非視認位置に付勢されるため、目隠し板５２を視認位置から非視認位置まで戻す手間を省くことができる。
【００４１】
このように、本実施形態によれば、商品収納装置１に収納されている商品Ｓ１を前方から視認可能にする視認位置と商品収納装置１に収納されている商品Ｓ１を前方から視認不可能にする非視認位置との間で移動可能な目隠し板５２を設けることにより、商品を視認できない状態にできるため、見栄えをよくすることができ、商品を購入できない顧客等の購買意欲をかきたてないようにすることができると共に、必要に応じて商品を視認可能にできるため、利便性を向上させることができる。
【００４２】
また、本実施形態によれば、目隠し板５２は非視認位置から前方に回転して視認位置に移動することにより、複数の商品収納装置１を左右方向に並べて配置する際に、隣の商品収納装置１の前方を目隠し板５２で塞がないようにすることができる。
【００４３】
（第２の実施形態）
本考案の第２の実施形態に係る商品収納装置の構成は図１及び図２と同一構成であるので、その説明を省略する。なお、本実施形態において、商品収納装置の各構成については図１及び図２の符号を用いて説明する。
【００４４】
＜商品用目隠し部材の構成＞
本考案の第２の実施形態に係る商品用目隠し部材６０につき、図６及び図７を参照しながら、以下に詳細に説明する。
【００４５】
商品用目隠し部材６０は、商品収納装置１に着脱自在に取り付けられ、取付部６１と、目隠し板６２と、磁石６３と、磁石６４と、回転軸部６５と、挿入溝６７と、を備えている。
【００４６】
取付部６１は、商品収納装置１に対して着脱自在に取り付けられると共に、商品Ｓ１の整列方向である前後方向において商品Ｓ１よりも前方に設けられている。取付部６１は、左右方向の両端に軸受部６１１を備えている。取付部６１の前面には、磁石６３が取り付けられている。取付部６１には、下端が外部に開放されていると共に下端から上方に延設された挿入溝６７が設けられている。
【００４７】
目隠し部としての目隠し板６２は、収納部１１に収納されている商品Ｓ１を前方から視認可能にする図７に示す視認位置と、収納部１１に収納されている商品Ｓ１を前方から視認不可能にする図６に示す非視認位置と、の間で回転して移動可能に取付部６１に支持されている。目隠し板６２は、非視認位置に有る場合に、取付部６１に対向する。目隠し板６２には、非視認位置において取付部６１に対向する後面の磁石６３に対向する位置に磁石６４が取り付けられている。磁石６４は、磁石６３の極性と逆極性である。なお、目隠し板６２には、目隠しする商品Ｓ１の商品名、商品種別又は価格等の表示を設けてもよい。
【００４８】
回転軸部６５は、目隠し板６２に固定されており、目隠し板６２と一緒に回転する。回転軸部６５は、左右方向の両端が軸受部６１１に回転可能に支持されている。回転軸部６５は、目隠し板６２の回転軸である。
【００４９】
＜商品用目隠し部材の動作＞
本考案の第２の実施形態に係る商品用目隠し部材６０の動作につき、図６及び図７を参照しながら、以下に詳細に説明する。
【００５０】
商品用目隠し部材６０は、商品収納装置１の外側前方側壁１２を取付部６１の挿入溝６７の下方より挿入することにより、取付部６１が外側前方側壁１２に跨った状態で商品収納装置１に取り付けられる。商品収納装置１に取り付けられた商品用目隠し部材６０は、目隠し板６２の磁石６４と取付部６１の磁石６３とが磁力で互いに引き合うため、図６に示すように、収納部１１に収納されている商品Ｓ１を前方から視認不可能にしている。
【００５１】
次に、磁石６３と磁石６４とが引き合う磁力に抗して目隠し板６２に対して前方に回転させる外力を加えた際に、目隠し板６２は、回転軸部６５を回転中心として前方に回転し、視認位置まで回転して図７に示す状態になる。これにより、収納部１１に収納されている商品Ｓ１は視認可能になる。
【００５２】
次に、目隠し板６２に対して後方に回転させる外力を加えた際に目隠し板６２が徐々に立設し、磁石６３と磁石６４との距離が所定距離以内になった際に、目隠し板６２は磁石６３と磁石６４との互いに引き合う磁力により非視認位置まで回転して図６に示す状態になる。
【００５３】
このように、本実施形態によれば、商品収納装置１に収納されている商品Ｓ１を前方から視認可能にする視認位置と商品収納装置１に収納されている商品Ｓ１を前方から視認不可能にする非視認位置との間で移動可能な目隠し板６２を設けることにより、商品を視認できない状態にできるため、見栄えをよくすることができ、商品を購入できない顧客等の購買意欲をかきたてないようにすることができると共に、必要に応じて商品を視認可能にできるため、利便性を向上させることができる。
【００５４】
また、本実施形態によれば、目隠し板６２は非視認位置から前方に回転して視認位置に移動することにより、複数の商品収納装置１を左右方向に並べて配置する際に、隣の商品収納装置１の前方を目隠し板６２により塞いでしまうことのないようにすることができる。
【００５５】
（第３の実施形態）
本考案の第３の実施形態に係る商品収納装置の構成は図１及び図２と同一構成であるので、その説明を省略する。なお、本実施形態において、商品収納装置の各構成については図１及び図２の符号を用いて説明する。
【００５６】
＜商品用目隠し部材の構成＞
本考案の第３の実施形態に係る商品用目隠し部材７０につき、図８から図１０を参照しながら、以下に詳細に説明する。
【００５７】
商品用目隠し部材７０は、商品収納装置１に着脱自在に取り付けられ、取付部７１と、目隠し板７２と、回転軸部７３と、挿入溝７７と、を備えている。
【００５８】
取付部７１には、目隠し板７２の下方を収納する収納部８１が設けられている。収納部８１は、下方が底壁７６により塞がれていると共に上方が外部に開放されており、取付部７１の前壁８２と後壁８３と左右方向の両端の側壁とにより周囲が囲まれている。取付部７１は、左右方向の両端の側壁の内面に上下方向に延設される軸受溝７４を備えている。軸受溝７４は、底壁７６と、左右方向の両端に各々設けられている上壁７５（図９参照）と、の間に形成されている。
【００５９】
取付部７１は、図９に示すように、前壁８２の上端に切欠部７１１を備えていると共に、切欠部７１１を設けることにより切欠部７１１の左右方向の両端に上方に突出する突出部７１２が形成されている。切欠部７１１の左右方向の幅は、目隠し板７２の切欠部７８を設けた下端の左右方向の幅よりも大きい。取付部７１には、下端が外部に開放されていると共に下端から上方に延設された挿入溝７７が設けられている。取付部７１は、商品収納装置１に対して着脱自在に取り付けられると共に、商品Ｓ１の整列方向である前後方向において商品Ｓ１よりも前方に設けられている。
【００６０】
目隠し部としての目隠し板７２は、下端の左右両端に切欠部７８を備えている。目隠し板７２の切欠部７８を設けた下端は、目隠し板７２の下端よりも上方の部分に比べて左右方向の幅が小さくなっている。目隠し板７２は、収納部１１に収納されている商品Ｓ１を前方から視認可能にする図１０に示す視認位置と、収納部１１に収納されている商品Ｓ１を前方から視認不可能にする図８に示す非視認位置と、の間で移動可能に取付部７１に支持されている。
【００６１】
目隠し板７２は、不透明である。目隠し板７２には、目隠しする商品Ｓ１の商品名、商品種別又は価格等の表示７９が設けられている。目隠し板７２は、非視認位置において表示７９により商品Ｓ１を視認不可能にすることができれば透明でもよい。表示７９は、目隠し板７２の前面に設けられていてもよいし、目隠し板７２が透明な場合に目隠し板７２の後面（前面の反対側の面）に設けられていてもよい。なお、目隠し板７２には、表示７９が設けられていなくてもよい。
【００６２】
回転軸部７３は、目隠し板７２に固定されており、目隠し板７２と一緒に移動及び回転する。回転軸部７３は、左右方向の両端が軸受溝７４において上下に移動可能に支持されていると共に、軸受溝７４において回転可能に支持されている。回転軸部７３は、目隠し板７２の回転軸である。
【００６３】
＜商品用目隠し部材の動作＞
本考案の第３の実施形態に係る商品用目隠し部材７０の動作につき、図８から図１０を参照しながら、以下に詳細に説明する。
【００６４】
商品用目隠し部材７０は、取付部７１の挿入溝７７に商品収納装置１の外側前方側壁１２を下方より挿入することにより、取付部７１が外側前方側壁１２に跨った状態で商品収納装置１に取り付けられる。商品収納装置１に取り付けられた商品用目隠し部材７０は、目隠し板７２の自重で回転軸部７３が軸受溝７４の下端に位置すると共に、目隠し板７２の下方が取付部７１の収納部８１に収納されて取付部７１に支持されることにより、図８に示すように、収納部１１に収納されている商品Ｓ１を前方から視認不可能にしている。
【００６５】
次に、目隠し板７２に対して上方に引っ張る外力を加えた際に、回転軸部７３は摺動しながら軸受溝７４を上方に移動して上壁７５に当接することにより、目隠し板７２は図９に示す状態になる。
【００６６】
次に、目隠し板７２に対して前方に回転させる外力を加えた際に、目隠し板７２は、回転軸部７３を回転中心として前方に回転し、視認位置まで回転して図１０に示す状態になる。この際、目隠し板７２は、前後方向において切欠部７８が突出部７１２に緩衝しないため、前方に回転することができる。これにより、収納部１１に収納されている商品Ｓ１は視認可能になる。一方、目隠し板７２が図９に示す位置より下方に位置している場合には、目隠し板７２は、前後方向において突出部７１２に緩衝するために前方に回転できない。
【００６７】
次に、目隠し板７２に対して後方に回転させる外力を加えた際に、目隠し板７２は、視認位置から徐々に立設して図９に示す状態になる。
【００６８】
次に、図９に示す状態において目隠し板７２に加えている外力を解除した際に、目隠し板７２は自重により下方に移動し、これに伴って回転軸部７３が摺動しながら軸受溝７４を下方に移動して底壁７６に当接することにより、目隠し板７２は図８に示す状態になる。
【００６９】
このように、本実施形態によれば、商品収納装置１に収納されている商品Ｓ１を前方から視認可能にする視認位置と商品収納装置１に収納されている商品Ｓ１を前方から視認不可能にする非視認位置との間で移動可能な目隠し板７２を設けることにより、商品を視認できない状態にできるため、見栄えをよくすることができ、商品を購入できない顧客等の購買意欲をかきたてないようにすることができると共に、必要に応じて商品を視認可能にできるため、利便性を向上させることができる。
【００７０】
また、本実施形態によれば、目隠し板６２は前方に回転して視認位置に移動することにより、複数の商品収納装置１を左右方向に並べて配置する際に、隣の商品収納装置１の前方を目隠し板７２により塞いでしまうことのないようにすることができる。
【００７１】
（第４の実施形態）
本考案の第４の実施形態に係る複数の商品収納装置１ａ、１ｂ、１ｃ、１ｄ、１ｅ、１ｆは、前方が外部に露出した状態で収納ケース２００の内部に左右方向に沿って配置されている。なお、本実施形態に係る商品収納装置１ａ、１ｂ、１ｃ、１ｄ、１ｅ、１ｆの各々の構成は図１及び図２と同一構成であるので、その説明を省略する。また、本実施形態において、商品収納装置については図１及び図２の符号を用いて説明する。
【００７２】
＜商品用目隠し部材の構成＞
本考案の第４の実施形態に係る商品用目隠し部材１００につき、図１１及び図１２を参照しながら、以下に詳細に説明する。
【００７３】
なお、図１１及び図１２において、図１から図５と同一構成である部分については同一符号を付して、その説明を省略する。
【００７４】
商品用目隠し部材１００は、取付部５１と、目隠し板５２と、ばね５３と、回転軸部５４と、目隠し板１０１と、を有している。即ち、商品用目隠し部材１００は、商品用目隠し部材５０の構成に目隠し板１０１を追加した構成を有している。目隠し板５２と目隠し板１０１とは、本実施形態における目隠し部を構成している。
【００７５】
商品用目隠し部材１００の取付部５１は、図１１及び図１２に示すように、左右方向に沿って配置される複数の商品収納装置１ａ、１ｂ、１ｃ、１ｄ、１ｅ、１ｆのうちの一部の商品収納装置１ａ、１ｆの挿入溝１９に挿入されて商品収納装置１ａ、１ｆに着脱自在に取り付けられている。
【００７６】
目隠し板１０１は、不透明であり、目隠し板５２に固定されていると共に、目隠し板５２と一緒に回転して移動する。目隠し板１０１は、各商品収納装置１ａ、１ｂ、１ｃ、１ｄ、１ｅ、１ｆの収納部１１に収納されている商品Ｓ１を前方から一括で視認可能にする図１２に示す視認位置と、各商品収納装置１ａ、１ｂ、１ｃ、１ｄ、１ｅ、１ｆの収納部１１に収納されている商品Ｓ１を前方から一括で視認不可能にする図１１に示す非視認位置と、の間で回転して移動する。なお、目隠し板１０１には、目隠しする商品Ｓ１の商品名、商品種別又は価格等の表示を設けてもよい。
【００７７】
なお、商品用目隠し部材１００の動作は商品用目隠し部材５０の動作と同一動作であるので、その説明を省略する。
【００７８】
このように、本実施形態によれば、上記第１の実施形態の効果に加えて、左右方向に沿って配置される複数の商品収納装置１ａ、１ｂ、１ｃ、１ｄ、１ｅ、１ｆのうちの一部に取り付けられる取付部５１と、複数の商品収納装置１ａ、１ｂ、１ｃ、１ｄ、１ｅ、１ｆの各々に収納されている商品Ｓ１を前方から一括で視認可能にする視認位置と前方から一括で視認不可能にする非視認位置との間で移動可能に取付部５１ａ及び取付部５１ｂに設けられる目隠し板５２及び目隠し板１０１と、を有することにより、複数の商品収納装置１ａ、１ｂ、１ｃ、１ｄ、１ｅ、１ｆの各々に収納されている商品Ｓ１を視認不可能にすること又は視認可能にすることを纏めて一括で行うことができ、利便性を向上させることができると共に、商品収納装置１ａ、１ｂ、１ｃ、１ｄ、１ｅ、１ｆの各々に個別に商品用目隠し部材を設ける場合と比較して、使用する商品用目隠し部材の数を少なくすることができるため安価にすることができる。
【００７９】
なお、本実施形態において、商品用目隠し部材１００を両端の商品収納装置１ａ及び商品収納装置１ｆに取り付けたが、商品収納装置１ａ、１ｂ、１ｃ、１ｄ、１ｅ、１ｆのうちの少なくとも一部であれば、任意の位置又は数の商品収納装置１ａ、１ｂ、１ｃ、１ｄ、１ｅ、１ｆに商品用目隠し部材を取り付けることができる。
【００８０】
また、本実施形態において、目隠し部により一括で視認可能又は視認不可能にする商品を収納する左右方向に沿って配置される商品収納装置の数は、６つに限らず複数の任意の数にすることができる。
【００８１】
また、本実施形態において、商品用目隠し部材１００を商品用目隠し部材５０と目隠し板１０１とにより構成したが、商品用目隠し部材５０の目隠し板５２と目隠し板１０１とを一体にして目隠し部としての１つの目隠し板にしてもよい。
【００８２】
また、本実施形態において、商品用目隠し部材５０の構成に代えて、上記第２の実施形態の商品用目隠し部材６０の構成、又は上記第３の実施形態の商品用目隠し部材７０の構成に、目隠し板１０１を追加して商品用目隠し部材を構成してもよい。
【００８３】
また、本実施形態において、商品収納装置１ａ、１ｂ、１ｃ、１ｄ、１ｅ、１ｆのうちの少なくとも一部に商品用目隠し部材５０を取り付けたが、商品収納装置１ａ、１ｂ、１ｃ、１ｄ、１ｅ、１ｆの全部に商品用目隠し部材５０を各々取り付けてもよい。この場合には、１つの商品用目隠し部材５０の目隠し板５２を回転させて移動させることで、他の全ての商品用目隠し部材５０の目隠し板５２を自動的に回転させて移動させることができるので、利便性を向上させることができる。
【００８４】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【００８５】
具体的には、上記第１の実施形態から第４の実施形態において、目隠し部を前方に回転可能にしたが、左右方向に回転可能にしてもよい。
【００８６】
また、上記第１の実施形態から第４の実施形態において、商品用目隠し部材を商品収納装置１に着脱自在に取り付けたが、商品用目隠し部材を商品収納装置と一体にしてもよい。この場合には、目隠し部を商品収納装置の収納容器に対して商品よりも前方に設けると共に、商品収納装置に収納した商品を前方から視認可能にする視認位置と視認不可能にする非視認位置との間で移動可能に収納容器に設ける。
【００８７】
また、上記第１の実施形態から第４の実施形態において、商品収納装置は商品を所定の整列方向に整列させて取り出し可能に収納すると共に商品用目隠し部材を着脱自在に取り付けることができれば任意の構成にすることができる。
【産業上の利用可能性】
【００８８】
本考案は、商品用目隠し部材及び商品収納装置に好適である。
【符号の説明】
【００８９】
１  商品収納装置
１ａ  商品収納装置
１ｂ  商品収納装置
１ｃ  商品収納装置
１ｄ  商品収納装置
１ｅ  商品収納装置
１ｆ  商品収納装置
８  側壁
９  側壁
１０  収納容器
１１  収納部
１２  外側前方側壁
１３  後方側壁
１４  底壁
１５  貫通孔
１６  貫通孔
１７  貫通孔
１８  内側前方側壁
１９  挿入溝
２０  押え板
２１  取付部
２２  当接面
２３  係合部
２４  保持部
２５  凹部
３０  チェッカー
３１  表示部
３１ａ  表示部
３１ｂ  表示部
３２  係止部
３３  係止部
４０  定荷重リール
４１  帯状部材
４２  収納部
４３  係止孔
４４  係止部
５０  商品用目隠し部材
５１  取付部
５２  目隠し板
５４  回転軸部
５５  表示
６０  商品用目隠し部材
６１  取付部
６２  目隠し板
６３  磁石
６４  磁石
６５  回転軸部
６７  挿入溝
７０  商品用目隠し部材
７１  取付部
７２  目隠し板
７３  回転軸部
７４  軸受溝
７５  上壁
７６  底壁
７７  挿入溝
７８  切欠部
７９  表示
８１  収納部
８２  前壁
８３  後壁
１００  商品用目隠し部材
１０１  目隠し板
１４１  突起部
２００  収納ケース
５１１  軸受部
５２１  貫通孔
６１１  軸受部
７１１  切欠部
７１２  突出部
Ｓ１  商品
【図１】
0003209075.tif 000003
【図２】
0003209075.tif 000004
【図３】
0003209075.tif 000005
【図４】
0003209075.tif 000006
【図５】
0003209075.tif 000007
【図６】
0003209075.tif 000008
【図７】
0003209075.tif 000009
【図８】
0003209075.tif 000010
【図９】
0003209075.tif 000011
【図１０】
0003209075.tif 000012
【図１１】
0003209075.tif 000013
【図１２】
0003209075.tif 000014